(57)【特許請求の範囲】
【請求項１】
長方形の基板本体の表面の長手方向の手前端側に重量部品であるフライバックトランスが搭載され、その後側に発熱部品を取り付けた放熱板が立設され、前記基板本体の表面の長手方向の後端側に重量部品であるスイッチングトランスが搭載されているプリント基板において、
前記放熱板が基板本体の長手方向に直交する非長手方向の一方側の端部近傍箇所から他方側の端部近傍箇所に向けて斜め向きに横切るように取り付けられ、その放熱板の前後両端は前後に平行に延設され、前記発熱部品が放熱板の表裏面にそれぞれ斜め外向きに取り付けられていて、前記発熱部品を交換するときに、前記フライバックトランスと前記スイッチングトランスとが邪魔になることなく、ドライバを発熱部品の取付部分に差し込んで回すことができるようになっていることを特徴とするプリント基板。
【発明の詳細な説明】
【０００１】
【発明の属する技術分野】
本発明は、基板本体の表面に各電気部品や放熱板が取り付けられたプリント基板に関する。
【０００２】
【従来の技術】
従来のプリント基板として、例えば、図２に示すように、基板本体１０１の表面に、図にて手前端側からフライバックトランス１０２が搭載され、その後側に水平向きに発熱部品１０３、１０３を取り付けたＬ字形の放熱板１０４が立設され、その後端側にスイッチングトランス１０５とラインフィルター１０６が搭載されているものがある。
【０００３】
ところが、これにおいては、フライバックトランス１０６を手で掴んで持ち上げたときに、水平向きに取り付けられたＬ字形の放熱板１０４の根元部分が割れることがあるという問題があった。また、Ｌ字形の放熱板１０４は、基板本体１０１に対してそのほぼ中央部分に水平向きに立設されているので、この放熱板１０４に取り付けられている発熱部品１０３、１０３を部品交換するときに、フライバックトランス１０６が邪魔になって外側から取外しできないために、このフライバックトランス１０６を取外した後に発熱部品１０３、１０３を取り外すか、もしくは放熱板１０４を取外してから発熱部品１０３、１０３を取り外す必要があり、発熱部品１０３、１０３の部品交換が行い難くてその作業に手間がかかるという問題があった。
【０００４】
しかも、基板本体１０１の前後端側にフライバックトランス１０６及びスイッチングトランス１０５とラインフィルター１０６等の重量のある部品が搭載されていると、その重みで基板本体１０１に反りが発生することがあるという問題があった。
【０００５】
また、実開昭５９−１６９０４９号公報には、放熱器が記載されている。これは、図３（ａ）（ｂ）（ｃ）に示すように、片面が平坦面であり、これの反対側に長さ方向にのびたフィン２１２を有するアルミニウム押出型材２１１が所定長さおきに斜め横断状に切断されることにより、平坦面がドライバ２１８による斜め上向き熱体取付面２１３となされているものである。ところが、これにおいては、熱体（発熱部品）２１６は取外し易いが、フィン２１２は型材２１１を補強することはできないという問題があった。
【０００６】
また、実開昭６２−５５８０号公報には、ＩＣソケットが記載されている。これは、図４（ａ）（ｂ）（ｃ）に示すように、ＩＣ３０３をプリント基板３０２に接続するためのＩＣソケット３０１において、このソケット３０１にはプリント基板３０２に対して傾斜した装着部３０１ｂが設けられ、この装着部３０１ｂ上面にはＩＣ３０３の足ピン３０４を受け入れる接合部３０５が設けられているものである。ところが、これにおいては、ソケット３０１の傾斜した装着部３０１ｂにＩＣ３０３を取り付け取外しし易いが、プリント基板３０２を補強することはできないという問題があった。
【０００７】
また、実公平４−１２６８３号公報には、放熱器が記載されている。これは、図５（ａ）（ｂ）に示すように、熱の良導体によって形成されたブロック４１１の断面がほぼ台形に形成され、台形の上向に傾斜した面で構成した部品取付面４１３Ａ、４１３Ｂと、台形の底面４１２側から上方にまたは上面側から下方に向かって突設された放熱部品４０３とからなるものである。ところが、これにおいては、放熱部品４０３の取り付け取外しは行い易いが、プリント基板４０４を補強することはできないという問題があった。
【０００８】
【発明が解決しようとする課題】
本発明は、上記従来の問題を解消し、放熱板で基板本体を補強することができて重量のある部品が基板本体に搭載されていても基板本体の割れや反りの発生を防止することができるとともに、この放熱板に取り付けられた発熱部品を簡単に取り外すことができて部品交換を容易にできるプリント基板を提供することを目的としている。
【０００９】
【課題を解決するための手段】
上記目的を達成するために、請求項１に記載の発明は、長方形の基板本体の表面の長手方向の手前端側に重量部品であるフライバックトランスが搭載され、その後側に発熱部品を取り付けた放熱板が立設され、前記基板本体の表面の長手方向の後端側に重量部品であるスイッチングトランスが搭載されているプリント基板において、前記放熱板が基板本体の長手方向に直交する非長手方向の一方側の端部近傍箇所から他方側の端部近傍箇所に向けて斜め向きに横切るように取り付けられ、その放熱板の前後両端は前後に平行に延設され、前記発熱部品が放熱板の表裏面にそれぞれ斜め外向きに取り付けられていて、前記発熱部品を交換するときに、前記フライバックトランスと前記スイッチングトランスとが邪魔になることなく、ドライバを発熱部品の取付部分に差し込んで回すことができるようになっていることを特徴としている。
【００１０】
【発明の実施の形態】
以下、本発明に係るプリント基板の実施の形態について、図を参照しつつ説明する。図１は、本発明の実施形態のプリント基板を示す平面図である。
【００１１】
この実施形態のプリント基板は、図１に示すように、基板本体１の図にて手前側に重量部品であるフライバックトランス２が搭載され、その後側近傍箇所に、基板本体１の表面に対して斜め外向きに発熱部品３、３が表裏面にそれぞれ取り付けられた放熱板４が基板本体１の左側の端部近傍箇所から右側の端部近傍箇所に向けて斜め向きに横切るように取り付けられ、更にその前後両端部は基板本体１の表面に対して前後に平行に延設されており、その後側近傍箇所であって基板本体１の後端近傍箇所に重量部品であるスイッチングトランス５とラインフィルタ６とが搭載されている。
【００１２】
本実施形態では、放熱板４は、基板本体１の表面に、基板本体１の左右両縁部に対して１２０度の角度をもって斜め向きに取り付けられている。上記のように放熱板４と各部品を取り付けて搭載したプリント基板によれば、放熱板４が基板本体１の左側の端部近傍箇所から右側の端部近傍箇所に向けて斜め向きに横切るように取り付けられているので、重量部品であるフライバックトランス２を手で持って持ち上げても基板本体１に割れが生じることがないとともに、基板本体１の前後両端近傍箇所に重量部品であるフライバックトランス２とスイッチングトランス５が搭載されていても、それらの重みで基板本体１に反りが生じることを防ぐことができる。更に、放熱板４の高さを自由に変更しても基板本体の強度には変化がない。
【００１３】
更に、放熱板４の前後両端部は、基板本体１の表面に対して前後に平行に延設されているので、基板本体１をより一層補強することができる。しかも、発熱部品３、３は放熱板４の表裏面に、基板本体１の表面に対して斜め外向きにむいた状態で取り付けられているので、この発熱部品３、３を交換するときに、フライバックトランス２とスイッチングトランス５とが邪魔になることなく、ドライバーＤ、Ｄを発熱部品３、３の取り付け部分にそれぞれ差し込んで回すことができるので、放熱板４に取り付けてあるこれらの発熱部品３、３を容易に取り外すことができて、部品交換を簡単に行うことができる。
【００１４】
【発明の効果】
以上説明したように、請求項１に記載の発明によれば、基板本体の表面に、発熱部品を取り付けた放熱板を基板本体の一方側の端部近傍箇所から他方側の端部近傍箇所に向けて斜め向きに横切るように取り付けているので、この放熱板によって基板本体が補強されて、基板の割れや反りを防止することができる。
【００１５】
また、発熱部品は、基板本体の表面に対して斜め外向きに前記放熱板に取り付けられているので、基板本体の表面における放熱板の前後に電気部品が搭載されていても、この発熱部品の取り付け部分に向けてドライバー等を差し込むことができて、放熱板や電気部品を取り外さずに発熱部品を容易に取り外すことができて、発熱部品の交換を簡単に行うことができる。
【００１６】
さらに、発熱部品は、放熱板の表面と裏面に取り付けられているので、この放熱板の表面と裏面から発熱部品を容易に取り外すことができて、これらの発熱部品の交換を簡単に行うことができる。さらに、基板本体の表面における放熱板の前後近傍箇所には、重量部品が取り付けられても、放熱板によって基板本体が補強されているので、この重量部品を手にもって基板本体を持ち上げた場合等に、この基板本体の割れや反りを防止することができる。
【図面の簡単な説明】
【図１】本発明の実施形態のプリント基板を示す平面図である。
【図２】従来のプリント基板を示す平面図である。
【図３】従来の放熱器を示し、（ａ）はその型材の平面図、（ｂ）は放熱器の横断面図、（ｃ）はその取り付け状態の側断面図である。
【図４】従来のＩＣソケットを示し、（ａ）はその斜視図、（ｂ）はその側面図、（ｃ）はそのＩＣソケットをプリント基板に取り付けた状態の側面図である。
【図５】従来の放熱器を示し、（ａ）はその斜視図、（ｂ）はその放熱器をプリント基板に実装した状態の側面図である。
【符号の説明】
１  基板本体
２  フライバックトランス
３  発熱部品
４  放熱板
５  スイッチングトランス
【図１】
0003572610.tif 000002
【図２】
0003572610.tif 000003
【図３】
0003572610.tif 000004
【図４】
0003572610.tif 000005
【図５】
0003572610.tif 000006